【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
クライアント装置において第一電子メッセージを自動的に処理する工程を備える、コンピュータにより実行される第一電子メッセージのビューイング方法であって、前記自動的に処理する工程は、
クライアント装置の外部にあるソースからの第一電子メッセージを受信する工程と、
第一電子メッセージ内に組み込まれた無関係部分を識別する工程であって、前記無関係部分は以前のメッセージのテキストを含む、工程と、
第一電子メッセージから前記無関係部分を省略する工程と、
第一電子メッセージと、第一電子メッセージに対し応答するための応答ボックスとを同時に表示する工程であって、第一電子メッセージの前記無関係部分の表示を抑制する工程を含み、前記応答ボックスは応答メッセージのためのテキスト入力を受信するよう構成されたテキスト領域を含む、工程と、により行われる、ビューイング方法。
【請求項２】
更に、第一電子メッセージの表示時に、前記無関係部分を選択的に表示する工程を含む、請求項１に記載の方法。
【請求項３】
更に、前記表示された第一メッセージに近接して前記応答ボックスを配置する工程を含む、請求項１に記載の方法。
【請求項４】
更に、前記以前の電子メッセージに関連するメッセージスレッド内の第一電子メッセージを受信する工程を含む、請求項１に記載の方法。
【請求項５】
第一電子メッセージが電子メールによるメッセージである、請求項１に記載の方法。
【請求項６】
前記無関係部分が第一電子メッセージと前記以前のメッセージの両方の中に見られる繰返しテキストである、請求項１に記載の方法。
【請求項７】
前記無関係部分がヘッダー情報を含む、請求項１に記載の方法。
【請求項８】
更に、第一電子メッセージ内に含有を示すためのしるしを生成する工程を含み、前記しるしが繰返しテキストを表す、請求項１に記載の方法。
【請求項９】
前記しるしが前記以前の電子メッセージの送信者の身元を示す、請求項８に記載の方法。
【請求項１０】
更に、繰返しテキストの位置に関する新テキストの位置を検知する工程を含む、請求項１に記載の方法。
【請求項１１】
更に、繰返しテキストの位置に関する新テキストの位置を検知するのに応じて、第一電子メッセージ内の繰返しテキスト部分を選択的に保持する工程を含む、請求項１０に記載の方法。
【請求項１２】
クライアント装置の外部にあるソースから受信される第一電子メッセージをクライアント装置において自動的に処理する工程を含む方法を実行するための、コンピュータ実行可能命令を有する、コンピュータ読取可能媒体であって、前記自動的に処理する工程は、
第一電子メッセージ内に組み込まれた無関係部分を識別する工程であって、前記無関係部分は以前のメッセージのテキストを含む工程と、
第一電子メッセージから前記無関係部分を省略する工程と、
第一電子メッセージと、第一電子メッセージに対し応答するための応答ボックスを同時に表示する工程であって、第一電子メッセージの前記無関係部分の表示を抑制することを含み、前記応答ボックスは応答メッセージのためのテキスト入力を受信するよう構成されたテキスト領域を含む、工程とにより行われる、コンピュータ読取可能媒体。
【請求項１３】
クライアント装置に常駐し、クライアント装置の外部にあるソースから受信される第一電子メッセージを自動的に処理する手段を備える、第一電子メッセージをビューイングするための、コンピュータにより実施されるメッセージ・システムであって、前記処理手段は、
第一電子メッセージ内に組み込まれた無関係部分を識別する手段であって、前記無関係部分は以前のメッセージのテキストを含む、手段と、
第一電子メッセージから前記無関係部分を省略する手段と、
第一電子メッセージと、第一電子メッセージに対し応答するための応答ボックスとを同時に表示する手段であって、第一電子メッセージの前記無関係部分の表示を抑制する手段を含み、前記応答ボックスは応答メッセージのためのテキスト入力を受信するよう構成されたテキスト領域を含む、手段と、を含む、メッセージ・システム。
【請求項１４】
複数の表示メッセージを会話ビューでビューイングする方法であって、
クライアント装置において、
複数の受信メッセージのうち少なくとも一つの受信メッセージ内に組み込まれた無関係部分を識別する工程であって、前記無関係部分は以前のメッセージのテキストを含む、工程と、
前記複数の受信メッセージのうち少なくとも一つの受信メッセージから前記無関係部分を省略する工程と、
前記複数のメッセージと、前記複数の電子メッセージの各メッセージに対し応答するための応答ボックスとを同時に表示する工程であって、前記複数の受信メッセージの少なくとも一つの受信メッセージからの前記無関係部分の表示を抑制する工程を含み、前記応答ボックスは応答メッセージのためのテキスト入力を受信するよう構成されたテキスト領域を含む、工程と、を備える、ビューイング方法。
【請求項１５】
前記複数の受信メッセージがメッセージスレッドを含む、請求項１４に記載の方法。
【請求項１６】
前記無関係部分が繰返しテキストを含む、請求項１４に記載の方法。
【請求項１７】
クライアント装置において、
複数の受信メッセージの少なくとも一つの受信メッセージ内に組み込まれた無関係部分を識別する工程であって、前記無関係部分は以前のメッセージのテキストを含む、工程と、
前記複数の受信メッセージのうち少なくとも一つの受信メッセージから前記無関係部分を省略する工程と、
前記複数のメッセージと、前記複数のメッセージの各メッセージに対し応答するための応答ボックスとを同時に表示する工程であって、前記複数の受信メッセージの少なくとも一つの受信メッセージからの前記無関係部分の表示を抑制する工程を含み、前記応答ボックスは応答メッセージのためのテキスト入力を受信するよう構成されたテキスト領域を含む、工程と、
を含む方法を実行するためのコンピュータ実行可能命令を有する、コンピュータ読取可能媒体。
【請求項１８】
クライアント装置に常駐し、クライアント装置の外部にあるソースから受信されるメッセージを処理する手段を備える、複数の表示メッセージを会話ビューでビューイングするシステムであって、前記処理手段は、
複数の受信メッセージの少なくとも一つの受信メッセージ内に組み込まれた無関係部分を識別する手段であって、前記無関係部分は以前のメッセージのテキストを含む、手段と、
前記複数の受信メッセージの少なくとも一つの受信メッセージ内の前記無関係部分を省略する手段と、
複数の表示メッセージと、前記複数のメッセージの各メッセージに対し応答するための応答ボックスとを同時に表示する手段であって、前記複数の受信メッセージの少なくとも一つの受信メッセージからの前記無関係部分の表示を抑制する手段を含み、前記応答ボックスは応答メッセージのためのテキスト入力を受信するよう構成されたテキスト領域を含む、手段と、を含むシステム。
【請求項１９】
クライアント装置に常駐し、クライアント装置の外部にあるソースから受信されるメッセージを処理する手段を備える、表示メッセージに応答するためのシステムであって、前記処理手段は、
受信メッセージの一部分であって、受信メッセージに組み込まれており以前のメッセージのテキストを含む一部分を省略する手段と、
表示メッセージを形成する手段であって、前記表示メッセージが、前記省略部分が抑制された前記受信メッセージを含む、手段と、
応答のために前記表示メッセージを選択する手段と、
前記表示メッセージと、前記表示メッセージに対し応答するための応答ボックスとを同時に表示する手段であって、前記応答ボックスは応答メッセージのためのテキスト入力を受信するよう構成されたテキスト領域を含む、手段と、を含むシステム。
【請求項２０】
制御モジュールと、
受信メッセージの無関係部分を識別するための、前記制御モジュールに接続される検知モジュールであって、前記無関係部分は前記受信メッセージに組み込まれ、以前のメッセージのテキストを含む、検知モジュールと、
前記受信メッセージの前記無関係部分を抑制するための、制御モジュールに接続される省略モジュールと、
表示メッセージを生成するための、前記制御モジュールに接続される表示モジュールであって、前記表示メッセージは、前記無関係部分を含まず、前記表示メッセージに対し応答するための同時に表示される応答ボックスを伴った受信メッセージであって、前記応答ボックスは応答メッセージのためのテキスト入力を受信するよう構成されたテキスト領域を含む、表示モジュールと、を備えるメッセージ・システム。